【手続補正書】
【提出日】令和3年10月12日(2021.10.12)
【手続補正１】
【補正対象書類名】特許請求の範囲
【補正対象項目名】全文
【補正方法】変更
【補正の内容】
【特許請求の範囲】
【請求項１】
ポジティブな基本形状を有する片面三方向割出し可能な切削インサート（１４）であって、
すくい面（２４）と、
前記すくい面（２４）と対向して位置するベース軸受面（２６）と、
前記ベース軸受面（２６）に対して垂直で、前記切削インサート（１４）の中心を通って延在するインサート軸ＡＩであって、前記ベース軸受面（２６）から前記すくい面（２４）に向かう上方向ＤＵと、前記上方向ＤＵと反対の下方向ＤＤと、前記上方向および前記下方向（ＤＵ，ＤＤ）に垂直で、前記インサート軸ＡＩから離れるように延在する外向き方向Ｄｏとを規定する、インサート軸ＡＩと、
前記ベース軸受面（２６）から前記すくい面（２４）の最高点まで、前記インサート軸ＡＩに平行に測定可能な切削インサート高さＨＩと、
前記すくい面（２４）と前記ベース軸受面（２６）とを接続する周面（２８）と、
前記周面（２８）と前記すくい面（２４）との交点に沿って形成された切れ刃（３２）であって、前記インサート軸ＡＩと平行な図では、刃外接径ＤＥを有する仮想刃外接円ＣＥを規定する、切れ刃（３２）と、
前記すくい面および前記ベース軸受面（２４、２６）に開口するねじ穴（３０）であって、前記ベース軸受面（２６）との交点にねじ穴底部（３１）と、前記すくい面（２４）との交点にねじ穴頂部（３３）と、前記ねじ穴底部（３１）から前記ねじ穴頂部（３３）まで延在するボイドの体積として計算されるボイド体積ＶＳと、前記インサート軸ＡＩに平行な図では、前記すくい面（２４）と前記ねじ穴（３０）との交点で規定される穴円ＣＳであって、穴径ＤＳを有する、穴円ＣＳと、を備える、ねじ穴（３０）と、
を備える、切削インサート（１４）において、
前記ベース軸受面（２６）は、前記インサート軸ＡＩに平行な底面図では、ベース外接径ＤＢを有する仮想ベース外接円ＣＢを規定し、
前記周面（２８）は、前記インサート軸ＡＩに沿った底面図では、第１の仮想正三角形Ｔ１の辺と平行に延在する第一、第二、および第三の側部当接面（３８Ａ，３８Ｂ，３８Ｃ）を備え、
前記切れ刃（３２）は、前記切れ刃（３２）の３つの最も長いサブ刃（４８）であり、前記インサート軸ＡＩに平行な上面図では、それぞれが第２の仮想正三角形Ｔ２の辺に沿って延在し、刃内接径ＤＭを有する刃内接円ＣＭを規定する、ちょうど３つの主サブ刃（４８）を備え、
前記ベース外接径ＤＢが前記刃外接径ＤＥよりも小さく、
前記ボイド体積ＶＳと、前記切削インサートの材料の量によって規定される材料体積ＶＦの体積比ＶＳ／ＶＦが、ＶＳ／ＶＦ≧０．３０の条件を満たし、
前記刃外接径ＤＥが、ＤＥ＜６．５ｍｍの条件を満たす、切削インサート（１４）。
【請求項２】
前記体積比がＶＳ／ＶＦ＞０．３５及び／又はＶＳ／ＶＦ＜０．５０である、請求項１に記載の切削インサート（１４）。
【請求項３】
前記穴径ＤＳと前記刃内接径ＤＭとのインサート厚さ径比ＤＳ／ＤＭが、ＤＳ／ＤＭ＞０．６０の条件を満たす、請求項１または２に記載の切削インサート（１４）。
【請求項４】
前記主サブ刃（４８）のうちの最も短い主サブ刃（４８）の主刃長さＬＭと、前記刃外接径ＤＥとの刃長さ比ＬＭ／ＤＥが、ＬＭ／ＤＥ＞０．４０の条件を満たす、請求項１〜３のいずれか一項に記載の切削インサート（１４）。
【請求項５】
前記刃外接径ＤＥが、ＤＥ＞５ｍｍの状件を満たす、請求項１〜４のいずれか一項に記載の切削インサート（１４）。
【請求項６】
前記周面（２８）は、下部サブ面（３４）と上部サブ面（３６）とを備え、
前記下部サブ面（３６）は、前記ベース軸受面（２６）から上方外向きに延在し、前記第一、第二、および第三の側部当接面（３８Ａ，３８Ｂ，３８Ｃ）を備え、
前記上部サブ面（３６）は、前記下部サブ面（３４）と前記すくい面（２４）を接続し、前記上部サブ面（３６）は、前記ベース軸受面（２６）の上の最小上部サブ面高さＨＵで前記上方向ＤＵに始まり、
前記最小上部サブ面高さＨＵは、０．５０ＨＩ≦ＨＵ≦０．８０ＨＩの条件を満たす、請求項１〜５のいずれか一項に記載の切削インサート（１４）。
【請求項７】
前記切れ刃（１４）は、各対の隣接する主サブ刃の（４８）間にワイパーサブ刃（４７）を備え、前記ワイパーサブ刃（４７）のそれぞれは、前記インサート軸ＡＩに平行な上面図では、前記主サブ刃（４８）のうちの隣接する１つと直角を形成する、請求項１〜６のいずれか一項に記載の切削インサート（１４）。
【請求項８】
前記主サブ刃（４８）のうちの１つの第一の点で測定された第一の逃げ角μ１が、同じ主サブ刃（４８）の第二の点で測定された第二の逃げ角μ２よりも大きく、前記第二の点は、前記第一の点よりも前記主サブ刃（４８）と直角を形成するワイパーサブ刃（４７）に近い、請求項１〜７のいずれか一項に記載の切削インサート（１４）。
【請求項９】
逃げ角は、前記主サブ刃（４８）と直角を形成しない第一のワイパーサブ刃（４７Ａ）に隣接する第一の領域から、前記主サブ刃（４８）と直角を形成する第二のワイパーサブ刃（４７Ｂ）に隣接する第二の領域まで、前記主サブ刃（４８）に沿って徐々に小さくなる、請求項８に記載の切削インサート（１４）。
【請求項１０】
工具ホルダ（１２）であって、
後端（１３Ａ）と、
前端（１３Ｂ）と、
前記後端（１３Ａ）から前記前端（１３Ｂ）まで延在する工具外周（１３Ｃ）と、
前記工具ホルダ（１２）の中心を通って延在する回転軸ＡＲであって、前記後端（１３Ａ）から前記前端（１３Ｂ）まで延在する前方方向ＤＦと、前記前方方向ＤＦとは反対の後方方向ＤＲと、前記回転軸ＡＲに垂直で、前記回転軸ＡＲから前記工具外周（１３Ｃ）に向かう外向き方向ＤＯとを規定する、回転軸ＡＲと、
前記後端（１３Ａ）の前方に延在するシャンク部分（１８）と、
前記シャンク部分（１８）の前方に前記前端（１３Ｂ）まで延在する切削部分（２０）であって、前記前端（１３Ｂ）に工具径ＤＴと、前記前端（１３Ｂ）と前記工具外周（１３Ｃ）との交点から後方に延在するちょうど２つの円周方向に離間した縦溝（２１）とを有する、切削部分（２０）と、
を備える、工具ホルダ（１２）において、
前記縦溝（２１）のそれぞれは、前記前端（１３Ｂ）と前記工具外周（１３Ｃ）との前記交点に形成されたポケット（２２）を備え、
前記２つのポケット（２２）のそれぞれは、シート当接面（６２）と、前記シート当接面（６２）に開口するねじ付きポケット穴（６４）と、前記シート当接面（６２）の平面図では、真っ直ぐで、互いに鋭角に向けられた第一および第二の横当接面（６６Ａ，６６Ｂ）とを備え、
各第一の横当接面（６６Ａ）は、前記外向きおよび前方方向（ＤＯ，ＤＦ）に延在し、
各第二の横当接面（６６Ｂ）は、前記外向きおよび後方方向（ＤＯ，ＤＲ）に延在し、
前記工具径ＤＴは、ＤＴ＜１１ｍｍの条件を満たす、工具ホルダ（１２）。
【請求項１１】
工具アパーチャ（７０）が、前記工具ホルダ（１２）の前記材料を通って延在し、第一の端部で前記ポケット（２２）の一方に開口し、第二の端部で前記ポケット（２２）の他方に開口する、請求項１０に記載の工具ホルダ（１２）。
【請求項１２】
各シート当接面（６２）の平面図では、材料は、前記回転軸ＡＲに最も近い前記第一の横当接面（６６Ａ）の一部分から前記工具外周（１３Ｃ）まで、前記前端（１３Ｂ）に沿って延在する、請求項１０または１１に記載の工具ホルダ（１２）。
【請求項１３】
各シート当接面（６２）の平面図では、前記ポケット（２２）に沿って延在する縦溝壁は、前記前端（１３Ｂ）で前記前方方向および前記下方向（ＤＦ，ＤＤ）に延在するように湾曲する、請求項１０〜１２のいずれか一項に記載の工具ホルダ（１２）。
【請求項１４】
各シート当接面（６２）の平面図では、前記工具ホルダ（１２）は、前記工具外周（１３Ｃ）に沿って延在する当接面を有さない、請求項１０〜１３のいずれか一項に記載の工具ホルダ（１２）。
【請求項１５】
請求項１０〜１４のいずれか一項に記載の工具ホルダ（１２）と、
前記工具ホルダ（１２）の前記ポケット（２２）のそれぞれに取り付けられた請求項１に記載の切削インサート（１４）と、
を備え、
各インサートの主サブ刃（４８）の１つは、前記工具径ＤＴの外側に位置し、前記切削工具径ＤＣを規定する、インサートミル（１０）において、
前記インサートミル（１０）の側面図では、前記主サブ刃（４８）は、前記回転軸ＡＲに平行に延在する、インサートミル（１０）。